(57)【要約】本発明は、ポンピング式化粧品容器のピストン構造に関するもので、容器本体の内壁に密着される２つのピストンが重ねられており、ポンピング作動時、第１ピストンが先に一定区間上昇した後、その下部に位置する第２ピストンを引き上げ、第１ピストンと第２ピストンとが一緒に上昇するように構成されることにより、ピストンが正常に作動するための厚さを維持する一方、最初の内容物の充填時には、ピストンが占める体積を減らすことが可能となるので、同一体積の容器に対して相対的に多くの内容物を充填することができることが特徴である。
2016527957.tif 000002
【特許請求の範囲】
【請求項１】
内容物が収容される容器本体の内部に設置され、ポンピング手段のポンピング作動による内容物の使用により上昇するピストンを含むポンピング式化粧品容器において、
前記ピストンは、中空に形成された第１ピストンと、上端部が閉鎖され、前記中空に昇降可能に結合され、内容物が最初充填された状態では、前記第１ピストンに重ねられた状態で位置し、内容物の使用時には、独立して先に上昇した後、前記第１ピストンを引っぱって該第１ピストンと一緒に上昇するように構成された第２ピストンとを含み、前記第１ピストンと前記第２ピストンとは、前記容器本体の内壁に密着された状態で上昇するように構成されている
ことを特徴とするポンピング式化粧品容器のピストン構造。
【請求項２】
前記第１ピストンの内側上部には、前記第２ピストンと当接して一緒に上昇するように内周面を取り囲む係止部が形成されている
ことを特徴とする請求項１に記載のポンピング式化粧品容器のピストン構造。
【請求項３】
前記第２ピストンの下端中央部には、前記第１ピストンの中空に昇降可能に結合される結合部が具備され、前記結合部の下部外周面には、前記係止部に当接し、前記第２ピストンと前記第１ピストンとを一緒に上昇させる係止突起が形成されている
ことを特徴とする請求項２に記載のポンピング式化粧品容器のピストン構造。
【発明の詳細な説明】
【技術分野】
【０００１】
本発明は、ポンピング式化粧品容器のピストン構造に関するもので、より詳細には、容器本体の内壁に密着される２つのピストンが重ねられており、ポンピング作動時に、第１ピストンが先に一定区間上昇した後、その下部に位置する第２ピストンを引き上げ、第１ピストンと第２ピストンが一緒に上昇するよう構成されることにより、ピストンが正常に作動するための厚さは維持し、最初に内容物を充填する時に、ピストンが占める体積を減らすことが可能となるので、同一体積の容器に対して相対的に多くの内容を充填することが可能なポンピング式化粧品容器のピストン構造に関するものである。
【背景技術】
【０００２】
一般的にポンピング式化粧品容器は、内容物が貯蔵される容器本体と、前記容器本体の内側下部に設置され、内容物の吐出により上昇するピストンと、前記容器本体の上部に結合され、ポンピング作用により容器本体に貯蔵された内容物を吐出させるポンピング手段とを含むように構成されている。
【０００３】
前述したようなポンピング式化粧品容器に設置されるピストンは、上昇作動時に、容器本体の内圧によってひっくり返される現象を防止するために、容器本体の内壁に接触するピストンの側面部が一定高さ以上の厚さを有するべきであるが、正常に作動するためのピストン厚さにより、容器本体の内部空間を多く占めるようになるので、ピストンが占めるスペースだけ、内容物の充填が不可能になるという問題点があった。
【０００４】
これらの問題点を解消するために、本出願人によって韓国登録実用新案第２０−０２３５８４７号「ディスペンサー容器のピストン」が提案された。
【０００５】
前記登録実用新案は、内容物が貯蔵される容器部（10）と、この容器部（10）に装着され、内容物の吐出とともに昇降するピストン（20）と、この容器部（10）の上端に結合され、内容物を外部へ吐出させるポンピング部（30）を含むように構成されたディスペンサー容器において、前記ピストン（20）は、底面（23）と側壁（22）を具備した上部が開放された筒形状によって構成され、その上端部と下端部外周面には、係止顎（24,25）が、それぞれ形成されたインナーピストン（21）と、このインナーピストン（21）の外周面に昇降可能に結合され、その周囲面が容器部（10）の内壁面に密着されて昇降されるアウターピストン（26）で構成され、前記容器部（10）に内容物充填時には、アウターピストン（26）がインナーピストン（21）の下端部に位置され、容器部（10）に空きスペースを減らし、内容物を完全に吐出した後は、前記アウターピストン（26）がインナーピストン（21）の上端部へ上昇され、内容物の残留量を減らすことがきるように構成されていることが特徴である。
【０００６】
前述したような構成の登録実用新案は、インナーピストン（21）の中央部を上部が開放された筒形状に構成し、インナーピストン（21）の内部に内容物の充填が可能なようにすることで、同一体積の容器に相対的に多くの内容を充填することが可能なように構成され、内容物を完全に吐出した後には、アウターピストン（26）がインナーピストン（21）の上端部へ上昇して、内容物の残留量を減らすことができるように構成されることである。
【０００７】
しかし、前記登録実用新案は、内容物の使用によるピストン（20）の上昇時に、インナーピストン（21）の底面（23）がポンピング部（30）の下端に一部接触される構造なので、アウターピストン（26）が独立的に上昇する区間では、ポンピングの作動による内容物の吐出が円滑に行われないようになり、使用されずに捨てられる内容物が発生し続けるという問題点があった。
【０００８】
したがって、同一体積の容器に相対的に多くの内容を充填することが可能であるにもかかわらず、実質的にユーザーが使用する内容物の量にはあまり差がないという問題点があった。
【発明の概要】
【発明が解決しようとする課題】
【０００９】
本発明は、前述した問題点を解決するため案出されたものであり、本発明の目的は、容器本体の内壁に密着する２つのピストンが重ねられており、ポンピング作動時に、第１ピストンが先に一定区間上昇した後、その下部に位置する第２ピストンを引き上げ、第１ピストンと第２ピストンが一緒に上昇するように構成することにより、ピストンが正常に作動するための厚さは維持し、最初に内容物を充填する時に、ピストンが占める体積を減らすことが可能になるので、同一体積の容器に対して相対的に多くの内容を充填することが可能なポンピング式化粧品容器のピストン構造を提供することにある。
【課題を解決するための手段】
【００１０】
前述したような問題点を解決するために、本発明によるポンピング式化粧品容器のピストン構造は、内容物が収容される容器本体の内部に設置され、ポンピング手段のポンピング作動による内容物の使用により上昇するピストンを含むポンピング式化粧品容器において、前記ピストンは、中空に形成された第１ピストンと、上端部が閉鎖され、前記中空に昇降可能に結合され、内容物が最初充填された状態では、前記第１ピストンに重ねられた状態で位置し、内容物の使用時には、独立して先に上昇した後、前記第１ピストンを引っぱって該第１ピストンと一緒に上昇するように構成された第２ピストンとを含み、前記第１ピストンおよび前記第２ピストンは、前記容器本体の内壁に密着された状態で上昇するように構成されていることを特徴とする。
【００１１】
また、前記第１ピストンの内側上部には、前記第２ピストンと当接して一緒に上昇するように内周面を取り囲む係止部が形成されていることを特徴とする。
【００１２】
また、前記第２ピストンの下端中央部には、前記第１ピストンの中空に昇降可能に結合される結合部が具備され、前記結合部の下部外周面には、前記係止部に当接し、前記第２ピストンと前記第１ピストンとを一緒に上昇させる係止突起が形成されていることを特徴とする。
【発明の効果】
【００１３】
以上、前述したように、本発明によれば、容器本体の内壁に密着する２つのピストンが重ねられており、ポンピング作動時に、第１ピストンが先に一定区間上昇した後、その下部に位置する第２ピストンを引き上げ、第１ピストンと第２ピストンが一緒に上昇するように構成されることにより、ピストンが正常に作動するための厚さは維持し、最初に内容物を充填する時にピストンが占める体積を減らすことが可能となるので、同一体積の容器に対して相対的に多くの内容物を充填することが可能な長所がある。
【図面の簡単な説明】
【００１４】
【図１】図１は、本発明の望ましい実施例によるポンピング式化粧品容器のピストン構造の構成を示す分解斜視図である。
【図２】図２は、本発明の望ましい実施例によるポンピング式化粧品容器のピストン構造の構成を示す結合断面図である。
【図３】図３は、本発明の望ましい実施例によるポンピング式化粧品容器に設置されたピストンの作動過程を示す説明図である。
【図４】図４は、本発明の望ましい実施例によるポンピング式化粧品容器に設置されたピストンの作動過程を示す説明図である。
【発明を実施するための形態】
【００１５】
以下、図面を参照して、本発明を詳細に説明する。各図面に提示された同一の参照符号は、同一の部材を示す。
【００１６】
図１は、本発明の望ましい実施例によるポンピング式化粧品容器のピストン構造の構成を示す分解斜視図であり、図２は、本発明の望ましい実施例によるポンピング式化粧品容器のピストン構造の構成を示す結合断面図であり、図３および図４は、本発明の望ましい実施例によるポンピング式化粧品容器に設置されたピストンの作動過程を示す説明図である。
【００１７】
図１〜４を参照すると、本発明の望ましい実施例によるポンピング式化粧品容器のピストン（100）は、内容物が収容される容器本体（10）の内部に設置され、ポンピング手段のポンピング作動による内容物の使用によって上昇するように構成された第１ピストン（110）と第２ピストン（120）とを備えている。
【００１８】
前記第１ピストン（110）は、容器本体（10）の内壁に密着された状態で位置し、後述する第２ピストン（120）の上昇によって一緒に上昇するように構成されることで、第２ピストン（120）の結合部と結合されることが可能なように中空（111）が形成されている。
【００１９】
本発明において、前記第１ピストン（110）の内側上部には、第２ピストン（120）と当接し、一緒に上昇することが可能なように内周面を取り囲む係止部（112）が形成されることが特徴であり、第２ピストン（120）の上昇時に、前記係止部（112）の下端に第２ピストン（120）の係止突起（122）が当接するように構成されることにより、第２ピストン（120）の上昇時に、第１ピストン（110）が第２ピストン（120）と一緒に上昇することが可能となる。
【００２０】
前記第２ピストン（120）は、容器本体（10）の内壁に密着された状態で位置し、前記中空（111）に昇降可能なように結合され、その上端部が閉鎖形成されるもので、本発明において、前記第２ピストン（120）は、内容物が最初充填された状態では、前記第１ピストン（110）に重ねられた状態で位置し、内容物の使用時には、独立して先に上昇した後、第１ピストン（110）を引っぱって第１ピストン（110）と一緒に上昇するように構成されていることが特徴である。
【００２１】
このために、前記第２ピストン（120）の下端中央部には、前記第１ピストン（110）の中空（111）に昇降可能なように結合される結合部（121）が具備され、前記結合部（121）の下部外周面には、第２ピストン（120）の上昇時に、前記係止部（112）の下部に当接し、前記第２ピストン（120）と前記第１ピストン（110）を一緒に上昇させる係止突起（122）が形成されている。
【００２２】
以下では、図３および図４を参照して、本発明の望ましい実施例によるポンピング式化粧品容器に設置されたピストンの作動過程を説明する。
【００２３】
図３および図４は、本発明の望ましい実施例によるポンピング式化粧品容器に設置されたピストンの作動過程を示す説明図である。
【００２４】
図３および図４を参照すると、本発明の望ましい実施例によるポンピング式化粧品容器に設置されたピストンは、内容物が最初充填された状態では、第１ピストン（110）と第２ピストン（120）が重ねられた状態で位置し、この時、ユーザーが容器本体（10）の上部に位置するポンピング手段を利用してポンピング作動を行う時に、第２ピストン（120）が先に独立して上昇し、第２ピストン（120）の係止突起（122）が第１ピストン（110）の係止部（112）の下端に当接する時点で、第２ピストン（120）が第１ピストン（110）を引っぱって一緒に上昇することとなる。
【００２５】
本発明は、前記のように、容器本体（10）の内部に設置されるピストン（100）を、第１ピストン（110）と第２ピストン（120）で構成し、内容物を最初に充填する時には、第１ピストン（110）と第２ピストン（120）が重ねられて位置するように構成することにより、ピストン厚さを薄く形成してピストンが占める体積を減らすことが可能となるので、同一体積の容器に対して相対的に多くの内容物を充填することが可能なだけでなく、ポンピング作動時に、第１ピストンが、先に一定区間上昇した後、その下部に位置する第２ピストンを引き上げ、第１ピストンと第２ピストンが一定の厚さを形成し、一緒に上昇するように構成することにより、ピストンが正常に作動するための厚さを維持することが可能となる。
【００２６】
図面及び明細書には最適な実施例が開示されている。ここでは、特定の用語を用いたが、これらは本発明を説明するための目的で用いられたものであって、意味の限定や特許請求の範囲に記載された本発明の範囲を制限するためのものではない。従って、本発明が属する技術分野における通常の知識を有する者であれば、これから多様な変形及び均等な他の実施例が可能であることを理解すべきである。また、本発明の真の技術的保護範囲は特許請求の範囲の技術的思想によって定められるべきである。
【図１】
2016527957.tif 000003
【図２】
2016527957.tif 000004
【図３】
2016527957.tif 000005
【図４】
2016527957.tif 000006
【国際調査報告】
2016527957.tif 000007
2016527957.tif 000008
2016527957.tif 000009
2016527957.tif 000010